(57)【要約】【課題】噴出装置、またはそれを備える噴出器において、簡単に破損のおそれが少なく、デザイン上大きな制約もなく、また噴出口まわりから効率的に残液を除去し得るようにする。【解決手段】容器１０の口部１０ａに噴出装置Ｐを取り付ける。噴出装置には、使用するとき、手を掛けて押し下げるスパウト２６を設ける。スパウトは、釦状の本体部２７とその外周から径方向に嘴状に突出する噴出管２８とからなる。噴出管には、吐出通路２８ａと噴出口２８ｂを設ける。本体部には、吐出通路に連通する残液吸引空間２７ｂを形成する。残液吸引空間には、ステムを被うステムカバー２５ｃを入り込ませる。そして、そのステムカバーで、スパウトを押し下げてステム２１を押し込んだとき、残液吸引空間の収容物を吐出通路に押し出し、スパウトの押し下げを解除してステムを復帰するとき、吐出通路の残液を残液吸引空間に吸い込む。【選択図】      図１
2005211876.tif 000002
【特許請求の範囲】
【請求項１】
使用時、スパウトを押し下げてステムを押し込み、容器の内容物を前記ステム内の排出通路を通して前記スパウトの吐出通路に入れ、その噴出口から外部に向けて噴出する噴出装置において、
前記スパウトに、前記吐出通路に連通する残液吸引空間を形成するとともに、
前記ステムを被い、前記残液吸引空間に入り込み、前記スパウトを押し下げて前記ステムを押し込んだとき、前記残液吸引空間の収容物を前記吐出通路に押し出し、前記スパウトの押し下げを解除して前記ステムを復帰するとき、前記吐出通路の残液を前記残液吸引空間に吸い込むステムカバーを備えることを特徴とする、噴出装置。
【請求項２】
前記残液吸引空間を、前記ステムをはめ込む前記スパウトの嵌合穴のまわりにその嵌合穴を中心として環状に形成し、前記ステムカバーを、前記ステムのまわりにそのステムを中心とする筒状に形成することを特徴とする、請求項１に記載の噴出装置。
【請求項３】
請求項１または２に記載の噴出装置を備えることを特徴とする、噴出器。
【発明の詳細な説明】
【技術分野】
【０００１】
この発明は、容器の口部に噴出装置を取り付け、使用時、直接手を掛けたり、トリガーレバーを操作したりして、噴出装置のスパウトを押し下げ、ステムを押し込んで容器の内容物をステム内の排出通路を通してスパウトの吐出通路に入れ、その噴出口から外部に向けて噴出する、ポンプ式やエアゾール式などの噴出器に関する。および、そのような噴出器に備える噴出装置に関する。
【背景技術】
【０００２】
従来、容器内に収納するハンドソープ等の粘性の高い内容物を、容器の口部に取り付けるポンプ式の噴出装置を用いて噴出する噴出器の中には、例えば、使用時にスパウトを押し下げてステムを押し込み、ポンプ式噴出装置を作動して容器の内容物を汲み上げ、スパウト内の吐出通路を通してスパウトに備える嘴状の噴出管から外部へと噴出するようにしたものがあった。
【０００３】
このような噴出器では、使用を終えたとき噴出管の先端噴出口まわりに容器内容物が残り、それが時間の経過とともに漏れ出していわゆる液垂れを生じたり、噴出口まわりに残った容器内容物が固化して噴出口を狭め、次に使用するとき内容物を予期せぬ方向に、しかも勢いよく噴出して例えば使用者の衣服を汚したりするなどのトラブルを生ずる問題があった。
【０００４】
そこで、従来の噴出器の中には、このような問題を解消すべく、例えば図３に示すように、噴出装置のスパウト１の頂面に、内部に残液吸引空間２を形成して可撓性膜３を取り付け、その残液吸引空間２とスパウト１内の吐出通路４とを連通孔５を介して連通するようにしたものがある。
【０００５】
そして、使用時、直接手を掛けてスパウト１を押し下げ、ステム６を押し込んで容器の内容物をステム６内の排出通路７を通して吐出通路４に入れ、噴出管８の噴出口９から外部に向けて噴出していた。この手を掛けてスパウト１を押し下げるとき、意識することなく可撓性膜３に触れてその可撓性膜３を同時に押し潰し、残液吸引空間２を狭めて残液吸引空間２の収容物を連通孔５を通して吐出通路４に入れていた。
【０００６】
噴出後は、スパウト１から手を離してステム６を復帰し、容器内容物の噴出を停止していた。このスパウト１から手を離したとき、同時に可撓性膜３を復元して残液吸引空間２を拡げ、吐出通路４の残液を連通孔５を通して残液吸引空間２に吸い上げ、噴出口９まわりに残液が残らないようにしてその後の液垂れや残液の固化を防止していた。
【０００７】
【特許文献１】実開平５−１３５６４号公報
【発明の開示】
【発明が解決しようとする課題】
【０００８】
ところが、例えばこのような噴出器では、
１）可撓性膜３を使用するから、破損しやすい
２）スパウト１の頂面に可撓性膜３を取り付けるから、デザイン上の制約がある
３）スパウト１上に残液吸引空間２を形成するから、残液を重力に抗して吸い上げなければならない
などの問題があった。
【０００９】
そこで、この発明の目的は、噴出装置、またはそれを備える噴出器において、簡単に破損のおそれが少なく、デザイン上大きな制約もなく、また噴出口まわりから効率的に残液を除去し得るようにすることにある。
【課題を解決するための手段】
【００１０】
かかる目的を達成すべく、この発明の第１の態様は、使用時、スパウトを押し下げてステムを押し込み、容器の内容物をステム内の排出通路を通してスパウトの吐出通路に入れ、その噴出口から外部に向けて噴出する噴出装置において、
スパウトに、吐出通路に連通する残液吸引空間を形成するとともに、
ステムを被い、残液吸引空間に入り込み、スパウトを押し下げてステムを押し込んだとき、残液吸引空間の収容物を吐出通路に押し出し、スパウトの押し下げを解除してステムを復帰するとき、吐出通路の残液を残液吸引空間に吸い込むステムカバーを備える、ことを特徴とする。
【００１１】
そして、使用時、スパウトを押し下げてステムを押し込んだとき、容器の内容物をステムの排出通路を通してスパウトの吐出通路に入れ、スパウトの噴出口から外部に向けて噴出する。このとき同時に、スパウトの残液吸引空間にステムカバーを押し込み、残液吸引空間の収容物を吐出通路に押し出す。噴出後、スパウトの押し下げを解除してステムを復帰すると、容器の内容物の噴出を止める。このとき同時に、スパウトの残液吸引空間からステムカバーを引き出し、吐出通路の残液を残液吸引空間に吸い込む。
【００１２】
例えば、残液吸引空間は、ステムをはめ込むスパウトの嵌合穴まわりにその嵌合穴を中心として環状に形成する。ステムカバーは、ステムのまわりにそのステムを中心とする筒状に形成する。
【００１３】
上述の目的を達成すべく、この発明の第２の態様は、噴出器にあって、第１の態様のような噴出装置を備える、ことを特徴とする。
【発明の効果】
【００１４】
この発明によれば、スパウトに残液吸引空間を形成し、ステムを被いかつ残液吸引空間に入り込んでスパウトの上下動作に連動して残液吸引空間を往復動するステムカバーを備えるだけであるから、構成簡単で、容易に破損のおそれが少なく、デザイン上大きな制約も受けず、またスパウトの吐出通路に残った残液が重力により残液吸引空間に流れ落ちるようにし、吐出通路の残液を効率的に除去することができる。
【発明を実施するための最良の形態】
【００１５】
以下、図面を参照しつつ、この発明の実施の最良形態につき説明する。
図１には、この発明に係るハンドソープ用噴出器の部分縦断面を示す。
【００１６】
図中符号１０は、容器である。容器１０は、プラスチック材料でボトル形状につくり、その口部１０ａ外周に雄ねじを設け、図示省略するが、この例では、内部に、内容物としてハンドソープを収納する。
【００１７】
その容器１０の口部１０ａには、ポンプ式噴出装置Ｐを取り付ける。
ポンプ式噴出装置Ｐには、ネジキャップ１１を設ける。ネジキャップ１１は、内周に雌ネジを有するとともに、頂部１１ａ中央に中心孔１１ｂをあけてなる。そして、頂部１１ａをシリンダ１２のフランジ１２ａ上に乗せ、容器１０の口部１０ａに被せてネジ付けてなる。
【００１８】
シリンダ１２は、途中に三つの段部１２ｂ・１２ｃ・１２ｄを設けて図中下方に向け同心で順次小径につくる。
【００１９】
そのシリンダ１２の上部は、第１の段部１２ｂの外周に前記フランジ１２ａを設けるとともに、第２の段部１２ｃのすぐ上に径方向に貫通する空気吸込み孔１２ｅをあけ、ネジキャップ１１の中心孔１１ｂを通して上端部１２ｆを上向きに突出する。
【００２０】
他方、シリンダ１２の下部は、第３の段部１２ｄ位置の内部に吸込口１２ｇを設け、またその下に管取付口１２ｈを続けて設ける。そして、その管取付口１２ｈ内にパイプ１３の上端部を圧入し、そのパイプ１３内と吸込口１２ｇとを連通してなる。反対に、吸込口１２ｇのすぐ上には、下方に向けて漸次小径となるテーパ付きの弁座１２ｉを続けて設ける。
【００２１】
このようなシリンダ１２内には、ボール状の逆止弁１９を入れて弁座１２ｉ上に乗せてから、コイルスプリング２０を挿入して第３の段部１２ｄ上に乗せる。その後、開閉弁２２を取り付けた、ピストンを兼ねるステム２１を入れる。
【００２２】
ステム２１は、管状で、内部に排出通路２１ａを設け、その排出通路２１ａと連通して径方向に横孔２１ｂをあけ、その横孔２１ｂ位置の外周に円周溝を形成する。
【００２３】
一方、開閉弁２２は、円筒形状で、中間部に内面から内向きに突出して環状凸部２２ａを設ける。そして、その環状凸部２２ａを前記円周溝内にはめ付け、開閉弁２２の外周上下部をシリンダ１２の内周面に摺動自在に押し当ててなる。
【００２４】
シリンダ１２の上端には、カラーリング２５を設ける。そのカラーリング２５は、同心に設ける外筒部２５ａと内筒部２５ｂ、およびそれらから上向きに突出する円筒状のステムカバー２５ｃで一体に形成する。ステムカバー２５ｃの下部には、内外を貫通して通気孔２５ｄをあけてなる。そして、シリンダ１２内に内筒部２５ｂを入れて下端を前記開閉弁２２の上端に突き当て、ステム２１を介してコイルスプリング２０を少し圧縮するとともに、外筒部２５ａをシリンダ１２の上端部１２ｆに被せてそれに掛け止めしてなる。
【００２５】
これにより、コイルスプリング２０の付勢力でステム２１を押し上げ、その円周溝の下段部を前記開閉弁２２の環状凸部２２ａの下面に押し当てて、排出通路２１ａとシリンダ室３０間との連通を遮断する。ステム２１は、カラーリング２５の内筒部２５ｂおよびステムカバー２５ｃ内を通して上向きに突出し、ステムカバー２５ｃは、ステム２１のまわりにそのステム２１を中心とする筒状に形成する。そして、ステムカバー２５ｃで被うステム２１の上端に、スパウト２６を取り付ける。
【００２６】
スパウト２６は、釦状の本体部２７とその外周から径方向に嘴状に突出する噴出管２８とからなる。本体部２７は、中心に嵌合穴２７ａを設けるとともに、その嵌合穴２７ａのまわりにその嵌合穴２７ａを中心として環状に残液吸引空間２７ｂを形成し、内筒部２７ｃと外筒部２７ｄを下向きに設ける。他方、噴出管２８には、吐出通路２８ａを設け、先端に噴出口２８ｂを開口する。そのような噴出管２８と前述の内筒部２７ｃ間は、横筒部２７ｅでつないでその横筒部２７ｅに連通孔２７ｆをあけ、残液吸引空間２７ｂを吐出通路２８ａに連通する。
【００２７】
そして、嵌合穴２７ａにステム２１の上端部をはめ込み、残液吸引空間２７ｂにステムカバー２５ｃの上端部を入り込ませて上端の弾性部２５ｅを内筒部２７ｃの外周面および外筒部２７ｄの内周面に密着し、それらの間を液密に保持してステム２１にスパウト２６を取り付ける。
【００２８】
いま、この図示噴出器を使用するときは、噴出口２８ｂを目的部位に向けてスパウト２６の本体部２７の頂面に手を掛けてコイルスプリング２０に抗してスパウト２６を押し下げる。すると、ステム２１をシリンダ１２内に押し込み、シリンダ１２内面との摩擦抵抗により開閉弁２２はそのままの位置でステム２１が動き、開閉弁２２の環状凸部２２ａの上面に円周溝の上段部を接触する。
【００２９】
そして、ステム２１の押し込みとともに、開閉弁２２を変形して横孔２１ｂを開き、シリンダ室３０と排出通路２１ａとを連通する一方、シリンダ室３０内の圧を高め、シリンダ室３０内のハンドソープを横孔２１ｂを通してステム２１の排出通路２１ａに送り出し、排出通路２１ａを通してスパウト２６の吐出通路２８ａに入れ、その吐出通路２８ａを通過してスパウト２６の噴出口２８ｂから外部に向けて噴出し、最終的に図２に示すようにスパウト２６を完全に押し下げる。
【００３０】
このとき同時に、スパウト２６を押し下げとともに、スパウト２６の残液吸引空間２７ｂにステムカバー２５ｃを押し込み、残液吸引空間２７ｂに収容する残液・空気等の収容物を連通孔２７ｆを通して吐出通路２８ａに押し出す。なお、スパウト２６を押し下げるとき、ステムカバー２５ｃ内の空気は、通気孔２５ｄから外部に逃がし、スパウト２６の押し下げ負荷が大きくならないようにする。
【００３１】
シリンダ室３０内のハンドソープを噴出口２８ｂから噴出してシリンダ室３０内の圧力が低下し、噴出口２８ｂからハンドソープが出なくなると、スパウト２６から手を離してその押し下げを解除し、コイルスプリング２０でステム２１を押し上げて復帰する。そして、シリンダ１２内面との摩擦抵抗により開閉弁２２がそのままの位置でステム２１が動き、環状凸部２２ａの内面で横孔２１ｂを塞いで排出通路２１ａとシリンダ室３０間の連通を遮断する。そして、開閉弁２２の環状凸部２２ａの下面に円周溝の下段部を接触して容器１０のハンドソープの噴出を完全に止める。
【００３２】
それから、ステム２１と一緒に開閉弁２２をスライドし、図１の状態に復帰するとき、シリンダ室３０内を負圧化して逆止弁１９を開き、容器１０内のハンドソープをパイプ１３を通して吸込口１２ｇからシリンダ室３０内に吸い上げる。
【００３３】
このとき同時に、スパウト２６の残液吸引空間２７ｂからステムカバー２５ｃを引き出し、吐出通路２８ａの残液を残液吸引空間２７ｂに吸い込み、噴出口２８ｂまわりに残液が残らないようにしてその後の液垂れや残液の固化を防止する。なお、スパウト２６を上動するとき、通気孔２５ｄを通して外部の空気をステムカバー２５ｃ内に吸い込み、ステムカバー２５ｃ内が負圧化することを防いで復帰負荷が大きくならないようにする。
【００３４】
以上の繰り返しにより、ポンプ式噴出装置Ｐにより容器１０内のハンドソープを汲み上げて噴出口２８ｂから外部に向けて噴出する。
【００３５】
図示例では、スパウト２６に残液吸引空間２７ｂを形成し、ステム２１を被いかつ残液吸引空間２７ｂに入り込んでスパウト２６の上下動作に連動して残液吸引空間２７ｂを往復動するステムカバー２５ｃを備えるだけであるから、構成簡単で、容易に破損のおそれが少なく、デザイン上大きな制約も受けず、またスパウト２６の吐出通路２８ａに残った残液が重力により残液吸引空間２７ｂに流れ落ちるようにし、吐出通路２８ａの残液を効率的に除去することができる。
【００３６】
なお、上述した図示例では、シリンダ１２に取り付けるカラーリング２５に一体的にステムカバー２５ｃを形成したが、ステムカバー２５ｃは、他の部材に形成してもよいし、また独立の部材としてシリンダ等に取り付けて設けてもよい。
【００３７】
ところで、上述した例では、スパウト２６を押し下げ操作することにより、ピストンを兼ねるステム２１を往復動して容器１０のハンドソープを外部に噴出するポンプ式噴出装置Ｐを備えるポンプ式噴出器に適用した場合について説明した。しかし、スパウトを操作することにより出口弁を開き、容器の内容物を噴射材の圧力で外部に噴出する噴出装置を備えるエアゾール式噴出器にも同様に適用することができる。
【図面の簡単な説明】
【００３８】
【図１】この発明に係るハンドソープ用噴出器の要部縦断面図である。
【図２】そのスパウトを押し込んだときの部分縦断面図である。
【図３】従来の噴出装置の部分縦断面図である。
【符号の説明】
【００３９】
１０    容器
２１    ステム
２１ａ  排出通路
２５    カラーリング
２５ｃ  ステムカバー
２５ｄ  通気孔
２５ｅ  弾性部
２６    スパウト
２７    本体部
２７ａ  嵌合穴
２７ｂ  残液吸引空間
２７ｆ  連通孔
２８    噴出管
２８ａ  吐出通路
２８ｂ  噴出口
Ｐ      ポンプ式噴出装置
【図１】
2005211876.tif 000003
【図２】
2005211876.tif 000004
【図３】
2005211876.tif 000005